(57)【要約】【課題】  回線の制御を行う複数の被制御部を、主制御部で制御する場合に、効率的な制御処理を行う通信装置を提供することができる。【解決手段】  本発明は、通信回線と接続して当該通信回線の通信制御を行う複数の被制御処理部と、それぞれの被制御処理部を制御する主制御処理部と、それぞれの被制御処理部と主制御部との間の通信を中継するネットワーク部とを備える通信装置に関する。そして、本発明の通信装置において、主制御部は、被制御処理部に、回線に係る一連の制御指示を記述した一括制御データを生成して送信する手段を有し、それぞれの上記被制御部は、上記主制御部から送出された一括制御データを取得すると、その一括制御データに記述された一連の制御指示に従って、上記通信回線の通信制御を行う手段を有することを特徴とする。【選択図】      図１
2015056849.tif 000002
【特許請求の範囲】
【請求項１】
通信回線と接続して当該通信回線の通信制御を行う複数の被制御処理部と、それぞれの上記被制御処理部を制御する主制御処理部と、それぞれの上記被制御処理部と上記主制御部との間の通信を中継するネットワーク部とを備える通信装置において、
上記主制御部は、上記被制御処理部に、上記回線に係る一連の制御指示を記述した一括制御データを生成して送信する制御データ提供手段を有し、
それぞれの上記被制御部は、上記主制御部から送出された一括制御データを取得すると、その一括制御データに記述された一連の制御指示に従って、上記通信回線の通信制御を行う通信制御手段を有する
ことを特徴とする通信装置。
【請求項２】
上記通信回線は、アナログ電話回線であり、上記被制御処理部は、少なくとも上記アナログ電話回線に係る電圧制御を行うことを特徴とする請求項１に記載の通信装置。
【請求項３】
上記一括制御データには、連続して上記通信回線の電圧制御を行う際に、第１の電圧制御を実行してから第２の電圧制御を行うまでの待機期間が制御指示として記述されていることを特徴とする請求項２に記載の通信装置。
【請求項４】
上記一括制御データには、上記待機期間に所定のイベントが発生した場合に、上記主制御部への通知を抑止する制御指示が含まれていることを特徴とする請求項３に記載の通信装置。
【請求項５】
通信回線と接続して当該通信回線の通信制御を行う複数の被制御処理部と、それぞれの上記被制御処理部を制御する主制御処理部と、それぞれの上記被制御処理部と上記主制御部との間の通信を中継するネットワーク部とを備える通信装置の制御方法において、
上記主制御部が、上記被制御処理部に、上記回線に係る一連の制御指示を記述した一括制御データを生成して送信する制御データ提供工程と、
それぞれの上記被制御部が、上記主制御部から送出された一括制御データを取得すると、その一括制御データに記述された一連の制御指示に従って、上記通信回線の通信制御を行う通信制御工程とを含むこと
を特徴とする通信装置の制御方法。
【発明の詳細な説明】
【技術分野】
【０００１】
この発明は、通信装置及び通信装置の制御方法の制御方法に関し、例えば、公衆交換電話網（ＰＳＴＮ）のアナログ加入者端末を、ＶｏＩＰ（Ｖｏｉｃｅ  ｏｖｅｒ  Ｉｎｔｅｒｎｅｔ  Ｐｒｏｔｏｃｏｌ）を用いてＩＰネットワークに接続させる装置に適用し得る。
【背景技術】
【０００２】
現在、公衆交換電話網（ＰＳＴＮ）の内部ネットワークについては、ＶｏＩＰ（Ｖｏｉｃｅ  ｏｖｅｒ  Ｉｎｔｅｒｎｅｔ  Ｐｒｏｔｏｃｏｌ）技術を用いてＩＰネットワークにより構成される部分が多くなっている。
【０００３】
そのため、現在、通信キャリアでは、加入者線（加入者電話端末との信号線（回線））を収容して公衆交換電話網に接続させる交換装置（例えば、非特許文献１参照）についても、上位側についてＩＰ接続（ＶｏＩＰによる接続）を行う装置に置き換えが進んでいる。
【０００４】
通信キャリアで、加入者線加入者電話端末を収容する交換装置では、通常、１つの装置で数千回線を収容可能とする必要がある。
【０００５】
そのため、通常、加入者線を収容する交換装置では、拡張性と保守性を両立させるために、シャーシ（筐体）に、加入者線を収容し、音声信号を処理するパッケージ（基盤）を収容し、それらのパッケージを制御用のパッケージ（基盤、モジュール）で制御するという構成が採用される。
【０００６】
例えば、１つのシャーシ内で、複数の音声信号処理用のパッケージを、制御用のパッケージで制御する装置として、従来特許文献１の記載技術が存在する。
【先行技術文献】
【特許文献】
【０００７】
【特許文献１】特開２０１０−０７４６２９号公報
【非特許文献】
【０００８】
【非特許文献１】東日本電信電話株式会社，「技術参考資料：電話サービスのインタフェース」，[Online]，INTERNET，[２０１３年９月３日検索]，＜ＵＲＬ：http://web116.jp/shop/annai/gisanshi/analog/pdf/analog_gisanshi.pdf＞
【発明の概要】
【発明が解決しようとする課題】
【０００９】
しかしながら、特許文献１の記載技術を、加入者線を収容する交換装置に採用した場合でも、制御用のパッケージで、複数の音声信号処理用のパッケージからの信号を処理する場合には、過負荷や通信のボトルネックが発生するおそれがある。特に、加入者線を収容して呼接続させるまでのシーケンスにおいて、制御用のパッケージは、音声信号処理用のパッケージに対して多くの制御を行う必要がある。
【００１０】
そのため、通信回線の制御を行う複数の被制御部（例えば、上述の音声信号処理用のパッケージ）を、主制御部（例えば、上述の制御用のパッケージ）で制御する場合に、効率的な制御処理を行うことができる通信装置及び通信装置の制御方法が望まれている。
【課題を解決するための手段】
【００１１】
第１の本発明は、通信回線と接続して当該通信回線の通信制御を行う複数の被制御処理部と、それぞれの上記被制御処理部を制御する主制御処理部と、それぞれの上記被制御処理部と上記主制御部との間の通信を中継するネットワーク部とを備える通信装置において、（１）上記主制御部は、上記被制御処理部に、上記回線に係る一連の制御指示を記述した一括制御データを生成して送信する制御データ提供手段を有し、（２）それぞれの上記被制御部は、上記主制御部から送出された一括制御データを取得すると、その一括制御データに記述された一連の制御指示に従って、上記通信回線の通信制御を行う通信制御手段を有することを特徴とする通信装置。
【００１２】
第２の本発明は、通信回線と接続して当該通信回線の通信制御を行う複数の被制御処理部と、それぞれの上記被制御処理部を制御する主制御処理部と、それぞれの上記被制御処理部と上記主制御部との間の通信を中継するネットワーク部とを備える通信装置の制御方法において、（１）上記主制御部が、上記被制御処理部に、上記回線に係る一連の制御指示を記述した一括制御データを生成して送信する制御データ提供工程と、（２）それぞれの上記被制御部が、上記主制御部から送出された一括制御データを取得すると、その一括制御データに記述された一連の制御指示に従って、上記通信回線の通信制御を行う通信制御工程とを含むことを特徴とする。
【発明の効果】
【００１３】
本発明によれば、通信回線の制御を行う複数の被制御部を、主制御部で制御する場合に、効率的な制御処理を行う通信装置を提供することができる。
【図面の簡単な説明】
【００１４】
【図１】第１の実施形態に係るＶｏＩＰシステム装置の機能的構成について示したブロック図である。
【図２】第１の実施形態に係るＶｏＩＰシステム装置を構成する音声信号処理部の機能的構成について示したブロック図である。
【図３】第１の実施形態に係るＶｏＩＰシステム装置の動作について示したシーケンス図である。
【図４】第１の実施形態に係るＶｏＩＰシステム装置の通信制御に用いられる一括ＳＤ制御パケットの構成例について示した説明図である。
【図５】第１の実施形態のＶｏＩＰシステム装置で一括ＳＤ制御パケットを用いない場合の動作について示したシーケンス図である。
【図６】第２の実施形態に係るＶｏＩＰシステム装置の動作について示したシーケンス図である。
【図７】第２の実施形態に係るＶｏＩＰシステム装置の通信制御に用いられる一括ＳＤ制御パケットの構成例について示した説明図である。
【発明を実施するための形態】
【００１５】
（Ａ）第１の実施形態
以下、本発明による通信装置及び通信装置の制御方法の第１の実施形態を、図面を参照しながら詳述する。第１の実施形態では、本発明の通信装置及び通信装置の制御方法を、ＶｏＩＰシステム装置に適用した例について説明する。
【００１６】
（Ａ−１）第１の実施形態の構成
図１は、この実施形態のＶｏＩＰシステム装置１の全体構成を示すブロック図である。
【００１７】
ＶｏＩＰシステム装置１は、アナログ加入者端末（いわゆるダイヤル回線又はプッシュ回線に２本の信号線で接続可能な電話端末）であるアナログ加入者端末２が接続された加入者線Ｃ（通信回線、信号線）について、上位ＩＰネットワーク３を介した電話接続（例えば、図１の上位ＩＰネットワーク３に接続した電話端末５）を可能とするように、種々の信号変換等を行うものである。言い換えると、ＶｏＩＰシステム装置１は、従来のアナログ電話の加入者線を収容可能な交換機（いわゆるデジタル交換機）について上位側の接続構成をＩＰ化した装置である。
【００１８】
上位ＩＰネットワーク３は、ＳＩＰ（Ｓｅｓｓｉｏｎ  Ｉｎｉｔｉａｔｉｏｎ  Ｐｒｏｔｏｃｏｌ）の呼制御に基づいてＶｏＩＰ通信可能なＩＰネットワークである。なお、ＶｏＩＰシステム装置１の上位側のネットワーク構成については限定されないものである。
【００１９】
図１では、説明を簡易とするため、上位ＩＰネットワーク３上に、ＳＩＰを用いて呼制御可能な呼制御装置４と、呼制御装置４の呼制御に基づいてＩＰ電話通信可能なＩＰ電話端末５が配置されている。
【００２０】
すなわち、図１では、アナログ加入者端末２は、ＶｏＩＰシステム装置１を介して、上位ＩＰネットワーク３上のＩＰ電話端末５と電話通信することが可能な構成となっている。
【００２１】
次に、ＶｏＩＰシステム装置１の内部構成について説明する。
【００２２】
ＶｏＩＰシステム装置１は、主制御パッケージ１１、及び１６個の被制御パッケージ１２（１２−１〜１２−１６）、内部ネットワーク１３及びＮＷインタフェース１４が配置されている。
【００２３】
内部ネットワーク１３は、ＶｏＩＰシステム装置１内部のパッケージ間等での通信を行うためのネットワークであり、ここでは、１又は複数のＬ２スイッチ（Ｅｔｈｅｒｎｅｔ（登録商標）スイッチ）を用いたネットワーク（Ｌ２ネットワーク）により構成されているものとして説明する。内部ネットワーク１３を構成する具体的ネットワーク構成については限定されないものであるが、各パッケージ及びＮＷインタフェース１４と接続するＬ２スイッチを用いることにより実現することができる。
【００２４】
被制御パッケージ１２は、それぞれ、主制御パッケージ１１の制御に基づいて、アナログ加入者端末２を収容し、内部ネットワーク１３及びＮＷインタフェース１４を介して、上位ＩＰネットワーク３に接続させることができる。
【００２５】
ＶｏＩＰシステム装置１には、最大で１６個の被制御パッケージ１２−１〜１２−１６が搭載可能であり、接続するアナログ加入者端末２の数に合わせて搭載する数を増減させることが可能であるものとする。そして、それぞれの被制御パッケージ１２は、最大で２５６の加入者線Ｃ−１〜Ｃ−２５６（アナログ加入者端末２−１〜２−２５６）を同時に収容（接続）することができるものとする。したがって、ＶｏＩＰシステム装置１では、最大で２５６×１６＝４０９６台の加入者線Ｃ（アナログ加入者端末２）と接続することができる。
【００２６】
それぞれの被制御パッケージ１２には、信号処理ユニット１２１、及び配線部１２３が配置されている。
【００２７】
信号処理ユニット１２１は、被制御パッケージ１２において信号処理を行う機能を担っており、２５６個の信号処理部１２２（１２２−１〜１２２−２５６）と、内部ＮＷインタフェース１２４を有している。なお、ＶｏＩＰシステム装置１が搭載する被制御パッケージ１２の数や、信号処理部１２２の数は限定されないものである。
【００２８】
各信号処理部１２２は、１本の加入者線（１台のアナログ加入者端末２）と接続し、当該加入者線Ｃ（アナログ加入者端末２）に対して、上位ＩＰネットワーク３を介した電話通信を提供する機能を担っている。具体的には、各信号処理部１２２は、１本の加入者線Ｃ（１台のアナログ加入者端末２）と接続して、当該加入者線Ｃ（１台のアナログ加入者端末２）の信号を終端する。また、各信号処理部１２２は、上位側（内部ネットワーク１３、上位ＩＰネットワーク３）に対しては、１台のＩＰ電話端末として振る舞う。
【００２９】
内部ＮＷインタフェース１２４は、内部ネットワーク１３と接続するためのインタフェースであり、例えば、種々のイーサネット（登録商標）ポートを適用することができる。信号処理ユニット１２１では、各信号処理ユニット１２１は、１つの内部ＮＷインタフェース１２４を共有して、上位側と通信する構成となっているものとする。信号処理ユニット１２１内のＩＰアドレス構成としては、例えば、内部ＮＷインタフェース１２４に１つのＩＰアドレスを割り振り、各信号処理部に信号処理ユニット１２１内でユニークとなるポート番号（ＴＣＰ及びＵＤＰのポート番号）を付与するようにしてもよい。
【００３０】
配線部１２３は、各加入者線Ｃ−を全て束ねて収容して、信号処理部１２２のそれぞれに分配する配線盤の機能を担っている。なお、各加入者線Ｃ１は、一般的なアナログ電話回線と同じ仕様（例えば、２本の信号線（銅線））である。なお、被制御パッケージ１２の内部における、具体的な配線構成については限定されないものである。
【００３１】
ここでは、図１に示すように、被制御パッケージ１２−１には、加入者線Ｃ−１〜Ｃ−２５６（アナログ加入者端末２−１〜２−２５６）が接続されているものとする。そして、被制御パッケージ１２−１の信号処理ユニット１２１を構成する信号処理部１２２−１〜１２２−２５６は、それぞれアナログ加入者端末２−１〜２−２５６と接続されているものとする。
【００３２】
次に、各信号処理部１２２の内部構成について説明する。
【００３３】
各信号処理部１２２は、ＩＰ送受信部１２２ａ、加入者線終端部１２２ｂ、通信制御部１２２ｃ、レジスタ１２２ｄ、音声信号処理部１２２ｅを有している
ＩＰ送受信部１２２ａは、上位側（内部ＮＷインタフェース１２４）とのＩＰ通信を終端し、ＩＰ電話端末として動作する機能を担っている。
【００３４】
加入者線終端部１２２ｂは、対応する加入者線Ｃを終端し、電圧制御等の処理を行うものである。
【００３５】
通信制御部１２２ｃは、当該信号処理部１２２の各部の通信制御処理（例えば、主制御パッケージ１１の制御に基づく呼処理や、制御信号の送受信処理等）を担っている。
【００３６】
レジスタ１２２ｄは、主制御パッケージ１１から供給された通信制御等に用いるためのデータを保持する記憶手段である。
【００３７】
音声信号処理部１２２ｅは、音声信号の変換処理等を行う。音声信号処理部１２２ｅは、例えば、ＩＰ送受信部１２２ａが受信したＩＰパケットから音声データを抽出してアナログ音声信号（アナログ加入者端末２に送信する音声信号）に変換する処理や、アナログ加入者端末２から供給されたアナログ音声信号を所定のコーデックに基づく音声信号に変換する処理等を行う。
【００３８】
主制御パッケージ１１は、各被制御パッケージ１２の動作を制御するものである。具体的には、主制御パッケージ１１は、各信号処理部１２２（各信号処理部１２２）が行う電話通信の呼制御処理（呼制御命令）等を実行する。
【００３９】
また、主制御パッケージ１１は、呼制御処理の過程として、被制御パッケージ１２の信号処理部１２２を制御し、当該加入者線Ｃの電圧状態を遷移させる制御を行う。また、以下では、主制御パッケージ１１が、信号処理部１２２を制御して、アナログ加入者端末２の加入者線の電圧状態を、連続して遷移させる操作（制御）を、ＳＤ制御（Ｓｕｂｓｃｒｉｂｅｒ  Ｄｒｉｖｅ  制御）と呼ぶものとする。
【００４０】
主制御パッケージ１１と各信号処理部１２２との間でＳＤ制御が行われる場合には、内部ネットワーク１３を介してイーサネットパケットを用いて行われることになる。
【００４１】
具体的には、主制御パッケージ１１は、各信号処理部１２２に対して、加入者線Ｃの電圧状態を示すレジスタ値（レジスタ１２２ｄに設定するレジスタ値）を含む制御データをイーサネットパケットに挿入して送信する。そして、各信号処理部１２２の通信制御部１２２ｃは、受信した制御信号に含まれるレジスタ１２２ｄに書き込む処理（Ｗｒｉｔｅ）等を実行する。そして、各信号処理部１２２の加入者線終端部１２２ｂは、レジスタ１２２ｄに設定されたレジスタ値に基づいて、加入者線Ｃの電圧状態を操作する（遷移させる）。
【００４２】
なお、加入者線Ｃの電圧状態の操作（制御）は、例えば、非特許文献１に記載された操作（２６頁〜２７頁、表３．４．１「一般的な端末の動作状態における網の動作と回線の状態参照」）が挙げられる。
【００４３】
また、主制御パッケージ１１は、ＳＤ制御を行う際、同一加入者線に対して連続で電圧操作を実施するため、電圧操作の保護時間を設けること（連続する電圧操作の間隔を所定時間以上空けること）を保証することが望ましい。以下では、主制御パッケージ１１が、ＳＤ制御において、各信号処理部１２２に対して指示する保護時間を「電圧保護時間」と呼ぶものとする。
【００４４】
（Ａ−２）第１の実施形態の動作
次に、以上のような構成を有する第１の実施形態のＶｏＩＰシステム装置１の動作を説明する。
【００４５】
以下では、主制御パッケージ１１が被制御パッケージ１２−１の信号処理部１２２−１に対して加入者線Ｃ−１（アナログ加入者端末２−１）の電圧制御を行う場合の動作について、図３のシーケンス図を用いて説明する。
【００４６】
まず、アナログ加入者端末２−１で通話が終了（例えば、ＶｏＩＰシステム装置１を介したＩＰ電話端末５との間の通話が終了）して、オンフック状態（加入者線Ｃ−１のループが解放した状態）となったものとする。そして、信号処理部１２２−１の加入者線終端部１２２ｂにより、加入者線Ｃ−１のオンフック状態（ループ解放状態）が検知され、通信制御部１２２ｃに報告される（Ｓ１０１）。
【００４７】
そして、信号処理部１２２−１の通信制御部１２２ｃにより、主制御パッケージ１１へ、加入者線Ｃ−１のオンフック状態（ループ解放状態）が通知される（Ｓ１０２）。
【００４８】
主制御パッケージ１１は、被制御パッケージ１２−１の信号処理部１２２−１に対して、ＳＤ制御の実行を命令するための一連の制御指示が記述されたデータを含むパケット（以下、「一括ＳＤ制御パケット」と呼ぶ）を送信する（Ｓ１０３）。
【００４９】
図４は、この一括ＳＤ制御パケットに挿入されるデータの概念的構成について示した説明図である。
【００５０】
図４に示すように、一括ＳＤ制御パケットには、ＳＤ制御のシーケンスを構成する制御指示として、複数のレジスタ値（電圧操作に係るレジスタ値）と、電圧保護時間が含まれている。図４では、所定のＳＤ制御のシーケンスに従った順序で、レジスタ値及び電圧保護時間が並べて登録された状態を示している。
【００５１】
なお、一括ＳＤ制御パケットのデータ構造やデータ形式（符号形式）については、信号処理部１２２側でＳＤ制御のシーケンスを解釈可能な形式であれば、図４のものに限定されない。
【００５２】
図４に示す一括ＳＤ制御パケットでは、加入者線Ｃの電圧増幅を停止する電圧制御（以下、「ＰＡＤ−ＯＦＦ」とも呼ぶ）を実行することを示す第１のレジスタ値Ｒ１、電圧保護時間Ｔ１、加入者線Ｃの極性反転を行う電圧制御（以下、「ＲＥＶＥＲＳＥ」とも呼ぶ）を実行することを示す第２のレジスタ値Ｒ２が設定されている。
【００５３】
したがって、図４に示す一括ＳＤ制御パケットでは、レジスタ１２２ｄの値を第１のレジスタ値Ｒ１に設定、電圧保護期間Ｔ１の間待機、レジスタ１２２ｄの値を第２のレジスタ値Ｒ２に設定という順序のシーケンスを示していることになる。
【００５４】
次に、信号処理部１２２−１の通信制御部１２２ｃは、一括ＳＤ制御パケットを受信すると、主制御パッケージ１１に対して確認応答（ＡＣＫ）を送信する（Ｓ１０４）。
【００５５】
次に、信号処理部１２２−１の通信制御部１２２ｃは、一括ＳＤ制御パケットの最初の制御指示に基づいて、レジスタ１２２ｄの値を第１のレジスタ値Ｒ１＝ＰＡＤ−ＯＦＦ（加入者電圧の増幅停止）にセットする。そして、信号処理部１２２−１の通信制御部１２２ｃは、一括ＳＤ制御パケットの次の制御指示に従って、信号線Ｃ−１に対する電圧制御について、電圧保護時間Ｔ１の間待機を開始する（Ｓ１０５）。
【００５６】
これにより、信号処理部１２２−１の加入者線終端部１２２ｂは、レジスタ１２２ｄの設定値に基づき、加入者線Ｃ−１に対して、ＰＡＤ−ＯＦＦ（加入者電圧の増幅停止）の電圧操作を開始する（Ｓ１０６）。
【００５７】
そして、信号処理部１２２−１の通信制御部１２２ｃは、待機時間が電圧保護時間Ｔ１の期間が経過すると、一括ＳＤ制御パケットの次の制御指示に基づいて、レジスタ１２２ｄの値を第２のレジスタ値Ｒ２＝ＲＥＶＥＲＳＥ（加入者電圧の極性反転）にセットする（Ｓ１０７）。
【００５８】
これにより、信号処理部１２２−１の加入者線終端部１２２ｂは、レジスタ１２２ｄの設定値に基づき、加入者線Ｃ−１に対して、第２のレジスタ値Ｒ２＝ＲＥＶＥＲＳＥ（加入者電圧の極性反転）の電圧操作を開始する（Ｓ１０８）。
【００５９】
次に、信号処理部１２２−１の通信制御部１２２ｃは、受信した一括ＳＤ制御パケットに基づく制御指示を全て実行したことを確認し、主制御パッケージ１１に対してＳＤ制御のシーケンスが終了したことを通知するパケット（以下、「ＳＤ制御完了パケット」と呼ぶ）を送信する（Ｓ１０９）。
【００６０】
そして、主制御パッケージ１１は、ＳＤ制御完了パケットを受信すると、その確認応答を、信号処理部１２２−１の通信制御部１２２ｃに報告する（Ｓ１１０）。
【００６１】
以上のように、ＶｏＩＰシステム装置１では、一括ＳＤ制御パケットを用いたＳＤ制御のシーケンスが実行される。
【００６２】
（Ａ−３）第１の実施形態の効果
第１の実施形態によれば、以下のような効果を奏することができる。
【００６３】
まず、第１の実施形態のＶｏＩＰシステム装置１の効果を説明するための比較内容として、仮に、第１の実施形態のＶｏＩＰシステム装置１で、主制御パッケージ１１と被制御パッケージ１２の制御処理の分担を、従来のデジタル交換装置と同様の分担とした場合の処理について説明する。
【００６４】
例えば、従来のデジタル交換装置では、上述の図４のような、一括ＳＤ制御パケットは存在しないため、ＳＤ制御を行う場合、主制御パッケージ１１でシーケンスの制御指示を逐次送信し、電圧保護時間のタイミング管理も行う必要がある。
【００６５】
図５は、ＶｏＩＰシステム装置１において、従来のデジタル交換装置と同様に、一括ＳＤ制御パケットを用いずに、主制御パッケージ１１がＳＤ制御のシーケンスを管理する場合の動作について示したシーケンス図である。
【００６６】
まず、加入者線Ｃ−１のアナログ加入者端末２−１がオンフック状態となり、信号処理部１２２−１の加入者線終端部１２２ｂにより、加入者線Ｃ−１のオンフック状態（ループ解放状態）が検知され、通信制御部１２２ｃに報告されたものとする（Ｓ２０１）。
【００６７】
そして、信号処理部１２２−１の通信制御部１２２ｃにより、主制御パッケージ１１へ、加入者線Ｃ−１のオンフック状態（ループ解放状態）が通知される（Ｓ２０２）。
【００６８】
主制御パッケージ１１は、被制御パッケージ１２−１の信号処理部１２２−１に対して、ＳＤ制御の最初の制御指示として、第１のレジスタ値Ｒ１＝ＰＡＤ−ＯＦＦ（加入者電圧の増幅停止）をＷｒｉｔｅする指示を、信号処理部１２２−１に送信する（Ｓ２０３）。
【００６９】
次に、信号処理部１２２−１の通信制御部１２２ｃは、主制御パッケージ１１に対して確認応答（ＡＣＫ）を送信し（Ｓ２０４）、さらに、レジスタ１２２ｄの値を第１のレジスタ値Ｒ１＝ＰＡＤ−ＯＦＦ（加入者電圧の増幅停止）にセットする（Ｓ２０５）。
【００７０】
これにより、信号処理部１２２−１の加入者線終端部１２２ｂは、レジスタ１２２ｄの設定値に基づき、加入者線Ｃ−１に対して、ＰＡＤ−ＯＦＦ（加入者電圧の増幅停止）の電圧操作を開始する（Ｓ２０７）。
【００７１】
一方、主制御パッケージ１１では、被制御パッケージ１２−１の信号処理部１２２−１から確認応答（ＡＣＫ）を受信すると、信号線Ｃ−１に対する電圧保護期間Ｔ１のカウントを開始する（Ｓ２０６）。
【００７２】
そして、主制御パッケージ１１は、被制御パッケージ１２−１の信号処理部１２２−１に対応する電圧保護期間Ｔ１のカウントが終了すると（Ｓ２０８）、被制御パッケージ１２−１の信号処理部１２２−１に対して、ＳＤ制御の次の制御指示として、第２のレジスタ値Ｒ２＝ＲＥＶＥＲＳＥ（加入者電圧の極性反転）をＷｒｉｔｅする指示を、信号処理部１２２−１に送信する（Ｓ２０９）。
【００７３】
次に、信号処理部１２２−１の通信制御部１２２ｃは、主制御パッケージ１１に対して確認応答（ＡＣＫ）を送信し（Ｓ２１０）、さらに、レジスタ１２２ｄの値第２のレジスタ値Ｒ２＝ＲＥＶＥＲＳＥ（加入者電圧の極性反転）にセットする（Ｓ２１１）。
【００７４】
これにより、信号処理部１２２−１の加入者線終端部１２２ｂは、レジスタ１２２ｄの設定値に基づき、加入者線Ｃ−１に対して、ＲＥＶＥＲＳ（加入者電圧の極性反転）の電圧操作を開始する（Ｓ２１２）。
【００７５】
一方、主制御パッケージ１１は、ＳＤ制御を行った被制御パッケージ１２−１の信号処理部１２２−１に対して、ＳＤ制御の制御確認結果の応答要求を送信する（Ｓ２１３）。
【００７６】
そして、信号処理部１２２−１の通信制御部１２２ｃは、レジスタ１２２ｄからレジスタ値（ＲＥＶＥＲＳＥ）から読込（Ｒｅａｄ）し（Ｓ２１４）、ＳＤ制御の制御確認結果の応答要求に対する応答として主制御パッケージ１１に確認応答（ＡＣＫ）に挿入して送信する（Ｓ２１５）。
【００７７】
ＶｏＩＰシステム装置１において、従来のデジタル交換装置と同様に、一括ＳＤ制御パケットを用いずに、主制御パッケージ１１がＳＤ制御のシーケンスを管理する場合以上のような動作となる。
【００７８】
ＶｏＩＰシステム装置１において、一括ＳＤ制御パケットを用いずに、主制御パッケージ１１がＳＤ制御のシーケンスを管理する場合、図５に示すように、ＳＤ処理のシーケンスを構成する各工程のタイミング管理は主制御パッケージ１１側で行われることになる。しかし、第１の実施形態では、一括ＳＤ制御パケット（上述の図４参照）に、ＳＤ制御のシーケンスを記述して主制御パッケージ１１から被制御パッケージ１２（信号処理部１２２）側に送信している。これにより、ＳＤ処理のシーケンスを構成する各工程のタイミング管理は、被制御パッケージ１２（信号処理部１２２）側で行っている。
【００７９】
これにより、第１の実施形態では、ＳＤ制御を行う際に、主制御パッケージ１１と被制御パッケージ１２との間で授受される制御信号（パケット）の数は低減されるため、主制御パッケージ１１に係る負荷を低減することができる。特に、主制御パッケージ１１が内部ネットワーク１３と接続する部分のインタフェースはボトルネックとなりやすく、さらに、タイミング制御に係るパケットが滞留したり破棄されたりすると、呼制御の失敗等電話サービスの品質低下に直結することになる。しかし、第１の実施形態では、ＳＤ処理のシーケンスを構成する各工程のタイミング管理は、被制御パッケージ１２（信号処理部１２２）で行うため、ＳＤ制御のシーケンスの過程で主制御パッケージ１１と通信しない。したがって、第１の実施形態では、仮に主制御パッケージ１１で、パケット授受の遅延等が発生した場合でも、ＳＤ制御のシーケンスを正確なタイミングで実行することができる。
【００８０】
また、第１の実施形態では、ＳＤ処理のシーケンスを構成する各工程のタイミング管理は、被制御パッケージ１２（信号処理部１２２）で行うため、ＳＤ制御完了イベントを、被制御パッケージ１２（信号処理部１２２）側から送信し、主制御パッケージ１１は受信して確認応答（ＡＣＫ）するだけの構成となっている（上述の図３のステップＳ１０９、Ｓ１１０）。これに対して、上述の図５の例（一括ＳＤ制御パケットを用いない構成）では、主制御パッケージ１１がＳＤ制御のシーケンスを管理するため、主制御パッケージ１１が、ＳＤ制御のシーケンスに係る指示を全て送信した後のタイミングで、ＳＤ制御の結果を確認指示する処理を行い、結果（レジスタ値が第２のレジスタ値Ｒ２となっていること）を確認する必要がある（上述の図５のステップＳ２１３〜Ｓ２１５）ため、第１の実施形態と比較して主制御パッケージ１１が行う処理や授受するパケットの量が多くなる。したがって、第１の実施形態では、主制御パッケージ１１が、ＳＤ制御のシーケンスの終了確認を行う工程でも、主制御パッケージ１１の処理量を低減することができる。
【００８１】
（Ｂ）第２の実施形態
以下、本発明による通信装置及び通信装置の制御方法の第２の実施形態を、図面を参照しながら詳述する。第２の実施形態では、本発明の通信装置及び通信装置の制御方法の制御方法を、ＶｏＩＰシステム装置に適用した例について説明する。
【００８２】
（Ｂ−１）第２の実施形態の構成
第２の実施形態のＶｏＩＰシステム装置１の構成も、第１の実施形態と同様に上述の図１、図２を用いて説明することができる。以下では、第２の実施形態について、第１の実施形態との差異を説明する。
【００８３】
第２の実施形態では、一括ＳＤ制御パケットに、被制御パッケージ１２（信号処理部１２２）の動作制限に係る制御指示を含めることができる点で異なっている。
【００８４】
被制御パッケージ１２（信号処理部１２２）の動作制限に係る制御指示としては、例えば、ＳＤ制御のシーケンスの途中で、加入者線Ｃ（アナログ加入者端末２）のオフフックを検知した場合に、そのオフフックに係るイベントを主制御パッケージ１１に通知することを抑止する制限（以下、「イベント通知抑止」と呼ぶ）の指示が挙げられる。被制御パッケージ１２（信号処理部１２２）では、加入者線Ｃの電圧操作を実行した直後は、容量に基づく過渡現象等により、実際にオフフック状態とならない場合でも誤検知してしまうおそれがあるための措置である。
【００８５】
（Ｂ−２）第２の実施形態の動作
次に、以上のような構成を有する第２の実施形態のＶｏＩＰシステム装置１の動作を説明する。
【００８６】
以下では、主制御パッケージ１１が被制御パッケージ１２−１の信号処理部１２２−１に対して加入者線Ｃ−１（アナログ加入者端末２−１側の信号線）の電圧制御を行う場合の動作について、図６シーケンス図を用いて説明する。なお、以下では、第１の実施形態の動作説明（上述の図３のシーケンス図）と異なる点を中心に説明する。
【００８７】
まず、加入者線Ｃ−１（アナログ加入者端末２−１）がオンフック状態となり、信号処理部１２２−１の加入者線終端部１２２ｂにより、加入者線Ｃ−１のオンフック状態（ループ解放状態）が検知され、通信制御部１２２ｃに報告されたものとする（Ｓ３０１）。
【００８８】
そして、信号処理部１２２−１の通信制御部１２２ｃにより、主制御パッケージ１１へ、加入者線Ｃ−１のオンフック状態が通知される（Ｓ３０２）。
【００８９】
主制御パッケージ１１は、被制御パッケージ１２−１の信号処理部１２２−１に対して、ＳＤ制御の実行を命令するための一括ＳＤ制御パケットを送信する（Ｓ３０３）。
【００９０】
図７は、この一括ＳＤ制御パケットに挿入されるデータの概念的構成について示した説明図である。
【００９１】
図７に示すように、一括ＳＤ制御パケットには、ＳＤ制御のシーケンスを構成する制御指示として、イベント通知抑止の設定（有り又は無しのいずれか）が追加されている点で第１の実施形態（上述の図４）と異なっている。具体的には、図７に示す一括ＳＤ制御パケットでは、電圧保護時間Ｔ１の前に、イベント通知抑止を開始する制御指示として「イベント通知抑止＝有り」が挿入されている。また、図７に示す一括ＳＤ制御パケットでは、電圧保護時間Ｔ１の後に、イベント通知抑止を終了する制御指示として「イベント通知抑止＝無し」が挿入されている。これにより、被制御パッケージ１２−１（信号処理部１２２−１）では、電圧保護時間Ｔ１をカウントしている間は、加入者線Ｃ−１に係る不要イベント（オフフック等）が検知された場合でも、当該不要イベントを破棄して主制御パッケージ１１に通知しない処理を行うことができる。
【００９２】
なお、一括ＳＤ制御パケットにおいて、イベント通知抑止に係る記術方法については限定されないものであり、例えば、電圧保護時間についてイベント通知抑止のオプションを付加して記述する等の方式（例えば、「電圧保護時間Ｔ１（イベント通知抑止有り）」のような記述）を適用するようにしてもよい。また、図７では説明を容易とするため、「イベント通知抑止＝有り」、「イベント通知抑止＝無し」という記述をしているが、所定のタイミングでイベント通知抑止を実行することが定義できる記述形式であればよいことは当然である。
【００９３】
次に、信号処理部１２２−１の通信制御部１２２ｃは、一括ＳＤ制御パケットを受信すると、主制御パッケージ１１に対して確認応答（ＡＣＫ）を送信する（Ｓ３０４）。
【００９４】
次に、信号処理部１２２−１の通信制御部１２２ｃは、一括ＳＤ制御パケットの最初の制御指示に基づいて、レジスタ１２２ｄの値を第１のレジスタ値Ｒ１＝ＰＡＤ−ＯＦＦ（加入者電圧の増幅停止）にセットする。また、このとき、信号処理部１２２−１の通信制御部１２２ｃは、一括ＳＤ制御パケットの次の制御指示に基づいて、イベント通知抑止を開始する。さらに、このとき、信号処理部１２２−１の通信制御部１２２ｃは、一括ＳＤ制御パケットの次の制御指示に従って、信号線Ｃ−１に対する電圧制御について、電圧保護時間Ｔ１の間待機を開始する（Ｓ３０５）。
【００９５】
そして、ここで、信号処理部１２２−１の通信制御部１２２ｃが、電圧保護時間Ｔ１を計時している間に、信号処理部１２２−１の加入者線終端部１２２ｂで加入者線Ｃ−１のオフフックが誤検知されたものとする。そのため、信号処理部１２２−１では、加入者線終端部１２２ｂから通信制御部１２２ｃにオフフックが発生した旨の通知がなされる（Ｓ４０１）が、このとき、通信制御部１２２ｃは、イベント通知抑止を行っている状態（イベント通知抑止＝有りの状態）であるため、このオフフックは不要イベントとして破棄されることになる（Ｓ４０２）。
【００９６】
レジスタ１２２ｄのレジスタ値の更新に伴い、信号処理部１２２−１の加入者線終端部１２２ｂは、レジスタ１２２ｄの設定値に基づき、加入者線Ｃ−１に対して、ＰＡＤ−ＯＦＦ（加入者電圧の増幅停止）の電圧操作を開始することになる（Ｓ３０６）。
【００９７】
そして、信号処理部１２２−１の通信制御部１２２ｃは、待機時間が電圧保護時間Ｔ１の期間が経過すると、一括ＳＤ制御パケットの次の制御指示に基づいて、レジスタ１２２ｄの値を第２のレジスタ値Ｒ２＝ＲＥＶＥＲＳＥ（加入者電圧の極性反転）にセットする。また、このとき、信号処理部１２２−１の通信制御部１２２ｃは、一括ＳＤ制御パケットの次の制御指示に基づいて、イベント通知抑止を終了の状態（イベント通信抑止＝無しの状態）とする（Ｓ３０７）。
【００９８】
以後のＶｏＩＰシステム装置１の動作は、第１の実施形態のステップＳ１０８〜Ｓ１１０と同様の動作であるので詳しい説明は省略する。
【００９９】
（Ｂ−３）第２の実施形態の効果
第２の実施形態によれば、以下のような効果を奏することができる。
【０１００】
第２の実施形態では、一括ＳＤ制御パケットに定義されるシーケンスに、被制御パッケージ１２（信号処理部１２２）の動作制限に係る制御指示（例えば、イベント通知抑止）を含めることが可能な構成となっている。これにより、被制御パッケージ１２（信号処理部１２２）で、電圧保護時間が経過中の加入者線Ｃで不要イベント(例えば、オフフック)が発生した場合でも、その通知を主制御パッケージ１１に通知することがなくなるため、主制御パッケージ１１の通信量及び付加を低減することができる。
【０１０１】
（Ｃ）他の実施形態
本発明は、上記の各実施形態に限定されるものではなく、以下に例示するような変形実施形態も挙げることができる。
【０１０２】
上記の各実施形態では、本発明の通信装置を、ＶｏＩＰシステム装置に適用した例を説明したが、呼処理・装置制御などでタイミング制御を行う他のシステムであって、主制御パッケージと、被制御パッケージ別れた構成の他の装置に適用するようにしてもよい。
【符号の説明】
【０１０３】
１…ＶｏＩＰシステム装置、１１…主制御パッケージ、１２、１２−１〜１２−１６…被制御パッケージ、１２１…信号処理ユニット、１２２−１〜１２２−２５６…信号処理部、１２２ａ…ＩＰ送受信部、１２２ｂ…加入者線終端部、１２２ｃ…通信制御部、１２２ｄ…レジスタ、１２２ｅ…音声信号処理部、Ｃ、Ｃ−１〜Ｃ−２５６…加入者線。
【図１】
2015056849.tif 000003
【図２】
2015056849.tif 000004
【図３】
2015056849.tif 000005
【図４】
2015056849.tif 000006
【図５】
2015056849.tif 000007
【図６】
2015056849.tif 000008
【図７】
2015056849.tif 000009